(57)【要約】【課題】  内蓋を備えた全自動電気洗濯機では、洗濯槽や水受け槽と固定部材を係合させる部分が少なく、洗濯槽を保護する効果が著しく低下する。しかも、洗濯槽の洗剤投入口等が存在すると、固定部材を装着するときの位置合わせに手間がかかる。【解決手段】  開口部に嵌め込む平板状本体と、該平板状本体の両側に延設し該開口部に接当させる立設部と、該平板状本体に切込によって形成し裏面側に折曲させて側端部を該洗濯槽の内周に接当させる槽支持部とによって構成する。又は、内蓋の下で本体開口部に嵌め込む平板状本体、該平板状本体の両側に延設し該開口部に接当させる立設部、該平板状本体に切込によって形成し裏面側に折曲させて側端部を該洗濯槽及び水受け槽の内周に架け渡して接当させる槽支持部より成る槽固定部材と、該本体開口部に沿って嵌め込むもので上端部を本体蓋を半開き状態に支持する本体蓋支持部とした帯状部材とによって構成する。【選択図】      図１
2006181183.tif 000002
【特許請求の範囲】
【請求項１】
全自動電気洗濯機に遊動状態に設けられた洗濯槽と該洗濯槽上方に開口する本体開口部に架け渡して接当させることによって該洗濯槽を固定する段ボール製装置であって、該開口部に嵌め込む平板状本体と、該平板状本体の両側に延設し該開口部に接当させる立設部と、該平板状本体に切込によって形成し裏面側に折曲させて側端部を該洗濯槽の内周に接当させる槽支持部とによって構成したことを特徴とする全自動電気洗濯機における洗濯槽の固定装置。
【請求項２】
全自動電気洗濯機は、洗濯槽の外周側に内蓋を有する水受け槽を備えた構造であり、平板状本体は該内蓋の下に介在させ、槽支持部は、該洗濯槽と該水受け槽に架け渡して接当させる請求項１記載の全自動電気洗濯機における洗濯槽の固定装置。
【請求項３】
立設部は、その上端部を全自動電気洗濯機の本体蓋を半開き状態に支持する本体蓋支持部とした請求項２記載の全自動電気洗濯機における洗濯槽の固定装置。
【請求項４】
全自動電気洗濯機に遊動状態に設けられた洗濯槽及び該洗濯槽の外周側に内蓋を備えた水受け槽と該洗濯槽上方に開口する本体開口部に架け渡して接当させることによって該洗濯槽を固定する段ボール製装置であって、該内蓋の下で該本体開口部に嵌め込む平板状本体、該平板状本体の両側に延設し該開口部に接当させる立設部、該平板状本体に切込によって形成し裏面側に折曲させて側端部を該洗濯槽及び水受け槽の内周に架け渡して接当させる槽支持部より成る槽固定部材と、該本体開口部に沿って嵌め込むもので上端部を本体蓋を半開き状態に支持する本体蓋支持部とした帯状部材とによって構成したことを特徴とする全自動電気洗濯機における洗濯槽の固定装置。
【請求項５】
帯状部材は、切込によって形成した内蓋押圧部を設けた請求項４記載の全自動電気洗濯機における洗濯槽の固定装置。
【発明の詳細な説明】
【技術分野】
【０００１】
本発明は、全自動電気洗濯機の洗濯槽（脱水槽と兼用）の固定装置の改良に関するものである。
【背景技術】
【０００２】
電気製品を梱包する場合においては、機器本体やその付属品が段ボール箱の内部で動かないように保持することを目的として、各種緩衝材が機器と共に段ボール箱に収納されている。このような電気製品の内、全自動電気洗濯機は洗濯槽が遊動状態に支持されていることから、輸送時等に洗濯槽を固定するための装置を設ける必要がある。
【０００３】
洗濯槽を固定することによって保護する固定装置としては、成型が容易で緩衝性能に優れた発泡プラスチックや、段ボールを折り曲げて組み立てる構造のものが主流となっている。洗濯槽の固定手段としては、特許文献１に示す包装用緩衝装置のように緩衝体本体を該洗濯槽と該洗濯槽の上部に開口する本体開口部に嵌め込み、これらに架け渡して固定する方法が採られている。
【０００４】
全自動電気洗濯機としては、洗濯槽の外側に内蓋を備えた水受け槽を設けた構造のものがある。このような構造の場合には、洗濯槽と水受け槽の両者を固定部材により本体開口部に架け渡して固定する必要がある。また、この構造では固定部材を内蓋の下に介在させなければならない。このため、内蓋が半開き状態となって、本体の蓋と干渉する場合もある。
【特許文献１】特開２００４−１１５１１１
【発明の開示】
【発明が解決しようとする課題】
【０００５】
従来の段ボール製固定装置では、部品点数が多く複雑で組み立てにくくなるなど、作業能率が著しく低下する欠点があった。さらに、発泡プラスチックやパルプモルードなどの成型品では、空間部分が多く嵩高くなり、輸送コストや保管コストが高くなる問題が生じる。
【０００６】
特に、近時の全自動電気洗濯機では洗濯槽の内面に洗剤投入口やゴミ導入口などを複数設けた機種が多く、これらを所定の位置に調整しなければ、固定部材を嵌め込むことができない事態が生じ、作業効率の低下に繋がっていた。
【０００７】
また、内蓋を備えた構造の全自動電気洗濯機の場合、固定部材は内蓋を開いてその下に介在させることから、内蓋が半開き状態となり、本体蓋と干渉する問題が生じる。このため、従来では固定部材をできるだけ内蓋の前方側に設けることにより、内蓋があまり開かないようにして、本体蓋と干渉しにくくしている。しかし、この方法では、洗濯槽や水受け槽と固定部材を係合させる部分が少なく、洗濯槽を保護する効果が著しく低下する。しかも、固定部材を洗濯槽等の狭い範囲で確実に係合させるようにする目的から、上述したような洗濯槽の洗剤投入口等の存在が、より大きな問題となっていた。
【課題を解決するための手段】
【０００８】
そこで本発明者等は上記問題に鑑み鋭意研究の結果、本発明を成し得たものでありその特徴とするところは、本発明の第一発明にあっては、全自動電気洗濯機に遊動状態に設けられた洗濯槽と該洗濯槽上方に開口する本体開口部に架け渡して接当させることによって該洗濯槽を固定する段ボール製装置であって、該開口部に嵌め込む平板状本体と、該平板状本体の両側に延設し該開口部に接当させる立設部と、該平板状本体に切込によって形成し裏面側に折曲させて側端部を該洗濯槽の内周に接当させる槽支持部とによって構成したことにある。
【０００９】
本発明の第二発明にあっては、全自動電気洗濯機に遊動状態に設けられた洗濯槽及び該洗濯槽の外周側に内蓋を備えた水受け槽と該洗濯槽上方に開口する本体開口部に架け渡して接当させることによって該洗濯槽を固定する段ボール製装置であって、該内蓋の下で該本体開口部に嵌め込む平板状本体、該平板状本体の両側に延設し該開口部に接当させる立設部、該平板状本体に切込によって形成し裏面側に折曲させて側端部を該洗濯槽及び水受け槽の内周に架け渡して接当させる槽支持部より成る槽固定部材と、該本体開口部に沿って嵌め込むもので上端部を本体蓋を半開き状態に支持する本体蓋支持部とした帯状部材とによって構成しことにある。
【００１０】
ここで、本明細書中でいう「平板状本体」とは、全自動電気洗濯機の洗濯槽上方に開口する本体開口部に嵌め込む部材をいう。この平板状本体は、平板状の段ボール材で形成し、内蓋の下方のほぼ全域に介在させた場合でも、内蓋があまり開かないようにすることができる。構造は、全自動電気洗濯機の本体開口部に接当させる立設部を両側に延設し、全自動電気洗濯機の脱水槽と兼用する洗濯槽や水受け槽の内周に接当させる槽支持部を平板状本体自体に設けている。
【００１１】
槽支持部は、切込によって形成したもので、裏面側に折り曲げることによって、側端部を洗濯槽等に接当させて係合させる構造である。平板状本体は、洗濯槽等のほぼ全域に設けることができ、槽支持部を多数設けて洗濯槽等のほぼ全周に渡って接当させることが可能となる。このため、槽支持部の一部が洗濯槽の洗剤投入口等の位置と合ってしまう場合でも、他の槽支持部で補わせることも可能である。また、槽支持部は折り曲げながら洗濯槽等の内周に係合させる構造であるため、洗剤投入口等に対して側端部を変形させながら押し込んだり、途中で止めても支持させることができる。
【００１２】
第一発明の固定装置と第二発明における槽固定部材は同様の構造であり、これらは板状のまま保管・輸送することができ、しかも事前に組み立てることなくそのまま使用することができる。先ず、全自動電気洗濯機の開口部上に置いて、平板状本体を開口部に向かって押し込めば、立設部が折れ曲がって開口部周辺に接当し、平板状本体が洗濯槽等の上に位置する。そして、槽支持部を下方に折り曲げ、これらの側端部を洗濯槽等の内周に接当させるだけで作業が完了する。内蓋が設けられている場合は、平板状本体の上面で支持する。また、半開きとなる内蓋と本体蓋が干渉する場合は、立設部の上端部を本体蓋支持部として、本体蓋を半開きの状態に支持させればよい。
【００１３】
「帯状部材」とは、本発明の第二発明において槽固定部材と併用する部材であり、内蓋の基部から平板状本体の上面及び本体開口部内面に沿わせて装着し、本体蓋を支持する帯状の段ボールをいう。このため、下端部に内蓋や固定具等の形状に合わせた切欠成形部を形成し、上端部には本体蓋支持部を形成している。この帯状部材は、槽固定部材と本体蓋との間に介在させることで、本体蓋を幾分開いた状態に支持し、内蓋と本体蓋の干渉防止が図られる。本体蓋は、梱包時に本体を保護するための緩衝材で支持したり、テープ止めなどの手段で固定する。
【００１４】
帯状部材は、数ヶ所設けられた折罫部分を折り曲げながら本体開口部に沿わせるようにして装着する。この場合、平板状本体の上面に単に載せるだけでもよいが、差込片などを設けて洗濯槽等上方に存在する隙間に嵌め込んで支持してもよい。また、内蓋は粘着テープなどで開かないように保持する他、帯状部材に切込による内蓋押圧部を設けて支持させてもよい。内蓋押圧部は第一発明における立設部に設けることも可能である。
【発明の効果】
【００１５】
第一発明の固定装置及び第二発明の槽固定部材は、本体開口部に嵌め込む平板状本体、本体開口部周辺に接当させる立設部、洗濯槽等に接当させる槽支持部、によって構成した構造であり、組み立てることなく平板状のまま使用することができ、梱包作業の効率化を図ることができる。また、槽支持部は手作業で段ボール材を折り曲げながら洗濯槽に押し込むことから、洗濯槽に洗剤投入口が設けられていも対応しやすく任意の位置に係合させることができる。しかも、本体が平板状であるため、洗濯槽等の全体を覆うように設けても、内蓋の開きが大きくならない。このため、内蓋がある場合でも洗濯槽等の全域に渡って槽支持部で支持することができる。
【００１６】
平板状本体を設けることによって開いた内蓋と本体蓋が干渉する場合でも、本体開口部に接当させた立設部の上端部で本体蓋を半開き状態に保持させることで、干渉を回避することができる。さらに、本発明の第二発明のように本体開口部に沿って嵌め込み上端部を本体蓋支持部とした帯状部材を、槽固定部材と併用することにより、単に本体蓋の支持をより確実にするだけでなく、槽固定部材の立設部を本体開口部に沿うように保持させることができ、洗濯槽等の保持固定もより確実にする効果が生じる。
【発明を実施するための最良の形態】
【００１７】
洗濯機本体開口部に嵌め込む平板状本体、開口部周辺に接当させる立設部、洗濯槽等に嵌め込む槽支持部を、平板状の段ボール材で形成したことにより、上述した課題を解決した。
【実施例１】
【００１８】
図１（ａ）は、本発明の第一発明に係る固定装置１の一実施例を示すもので、全自動電気洗濯機Ｗの洗濯槽２の上方に開口する本体開口部３に嵌め込む平板状本体１１、該平板状本体１１の両側に延設し該本体開口部３に接当させる立設部１２、該平板状本体１１に切込によって形成し該洗濯槽２の内周に接当させる槽支持部１３とによって構成したものである。
【００１９】
この固定装置１は、ブランクシートの状態で使用し、図２（ａ）（ｂ）に示すように全自動電気洗濯機Ｗの洗濯槽２部分に装着しながら各部分を折曲し、同図（ａ）の形状にすることにより洗濯槽２が固定される。
【実施例２】
【００２０】
全自動電気洗濯機Ｗとして、洗濯槽２の外周側に内蓋５１を備えた水受け槽５を設けた構造の場合、平板状本体１１が内蓋５１の下に介在され、該内蓋５１が半開き状態となる。この場合には、図３（ａ）に示すように立設部１２を高くして、その上端部を本体蓋支持部１４とすることにより、本体蓋４も半開き状態に支持して内蓋５１との干渉を防ぐことができる。同図（ｂ）は、この固定装置１のブランクシートである。
【実施例３】
【００２１】
図４は、本発明の第二発明に係る固定装置２０の一実施例を示すもので、槽固定部材２１と帯状部材２２より成る２ピース構造である。槽固定部材２１は、第一発明の固定装置１と同様の構造であり、図５のように平板状本体１１を本体開口部３に押し込むことによって、立設部１２を該本体開口部３周辺に接当させる。そして、各槽支持部１３を裏面側に折り曲げ、洗濯槽２及び水受け槽５に係合させて、これらを固定する。次に、内蓋５１を平板状本体１１上に支持して、帯状部材２２を本体開口部３の周面に沿って装着する。本例の帯状部材２２には、半開き状態の内蓋５１を上方から押さえて支持する内蓋押圧部２３を設けると共に、洗濯槽２等と本体開口部３との間に存在する隙間に嵌め込んで支持する押込片２４を設けている。図６（ａ）は帯状部材２２、同図（ｂ）は槽固定部材２１のそれぞれのブランクシートである。
【図面の簡単な説明】
【００２２】
【図１】本発明の第一発明に係る洗濯槽の固定装置の一実施例を示す斜視図である。（実施例１）
【図２】図１（ａ）に示した固定具の使用状態の実施の形態の一例を示すもので、（ａ）は横方向の概略断面図、（ｂ）は前後方向の概略断面図である。
【図３】（ａ）は本発明の第一発明に係る洗濯槽の固定装置の他の実施例の使用状態を示す前後方向の概略断面図、（ｂ）は（ａ）のブランクシートである。（実施例２）
【図４】本発明の第二発明に係る洗濯槽の固定装置の一実施例を示す分解斜視図である。（実施例３）
【図５】図４に示した固定装置の使用状態の一例を示す横方向の概略断面図である。
【図６】（ａ）は図４に示した帯状部材のブランクシート、（ｂ）は槽固定部材のブランクシートである。
【符号の説明】
【００２３】
Ｗ  全自動電気洗濯機
１  固定装置
１１  平板状本体
１２  立設部
１３  槽支持部
１４  本体蓋支持部
２  洗濯槽
３  本体開口部
４  本体蓋
５  水受け槽
５１  内蓋
２０  固定装置
２１  槽固定部材
２２  帯状部材
２３  内蓋押圧部
２４  押込片
【図１】
2006181183.tif 000003
【図２】
2006181183.tif 000004
【図３】
2006181183.tif 000005
【図４】
2006181183.tif 000006
【図５】
2006181183.tif 000007
【図６】
2006181183.tif 000008